(57)【特許請求の範囲】
【請求項１】
往復移動する可動部材の動作により演出を行なう可動演出装置を備えた遊技機において、
前記可動演出装置は、
前記可動部材に設けられ、該可動部材と一体で往復移動するラックと、
前記ラックに形成したラック歯部に噛合する作動歯部が外周に形成され、モータの駆動によって回転することで両歯部の噛合作用によりラックを往復移動させる作動歯車とを備え、
前記作動歯車の外周の一部に、作動歯部と周方向に隣接してラック歯部と噛合不能な異形部が設けられ、
前記作動歯車の異形部がラック歯部に当接することで作動歯車の回転およびラックの移動が規制されて、前記可動部材が位置決めされる
ことを特徴とする遊技機。
【請求項２】
前記可動部材は原位置と作動位置との間を往復動可能に構成され、該可動部材が作動位置に至ったときに前記作動歯車の異形部がラック歯部に当接するよう設定された請求項１記載の遊技機。
【請求項３】
前記可動部材の原位置において前記作動歯車の異形部がラック歯部に当接し、該異形部がラック歯車から離間する方向に作動歯車が回転することで可動部材が作動位置に向けて移動するよう構成された請求項２記載の遊技機。
【発明の詳細な説明】
【技術分野】
【０００１】
この発明は、可動部材の動作により演出を行なう可動演出装置が配設された遊技機に関するものである。
【背景技術】
【０００２】
代表的な遊技機であるパチンコ機は、機内にセットされる遊技盤の盤面に画成した遊技領域の略中央位置に枠状の枠状装飾部材(所謂センター役物)が配設されて、該枠状装飾部材の開口から液晶式やドラム式等の図柄表示装置を臨ませ、この図柄表示装置で図柄組み合わせゲームやリーチ演出等の遊技演出を行なうよう構成されている。また、パチンコ機では、所要の動作を行なう可動部材を備えた可動演出装置を枠状装飾部材に配設し、該可動部材を図柄表示装置で行なわれる遊技演出に合わせて動作させることにより、視覚的な演出効果を向上させて遊技の興趣を高めている(例えば、特許文献１参照)。
【０００３】
特許文献１に開示の可動演出装置では、所要範囲で往復動する可動部材の移動経路に対して進退移動するストッパー部材を配設し、移動経路上に移動したストッパー部材に可動部材を当接することで、該可動部材を定位置に位置決めするよう構成されている。
【先行技術文献】
【特許文献】
【０００４】
【特許文献１】特開２００８−２９５６９８号公報
【発明の概要】
【発明が解決しようとする課題】
【０００５】
特許文献１に開示の可動演出装置のように、可動部材をストッパー部材で位置決めする構成では、専用のストッパー部材が必要になると共に、ストッパー部材を作動する作動機構が、可動部材を往復動する駆動機構とは別に必要となり、構造が複雑になると共に広い設置スペースが必要となる問題がある。また、部品点数が多くなることで製造コストの上昇にも繋がる難点も指摘される。
【０００６】
すなわち本発明は、従来の技術に係る遊技機に内在する前記問題に鑑み、これらを好適に解決するべく提案されたものであって、簡単な構成で可動部材を定位置に位置決めし得る遊技機を提供することを目的とする。
【課題を解決するための手段】
【０００７】
前記課題を克服し、所期の目的を達成するため、本願の請求項１に係る発明は、
往復移動する可動部材(34)の動作により演出を行なう可動演出装置(30)を備えた遊技機において、
前記可動演出装置(30)は、
前記可動部材(34)に設けられ、該可動部材(34)と一体で往復移動するラック(42)と、
前記ラック(42)に形成したラック歯部(46a)に噛合する作動歯部(47b)が外周に形成され、モータ(40)の駆動によって回転することで両歯部(46a,47b)の噛合作用によりラック(42)を往復移動させる作動歯車(45)とを備え、
前記作動歯車(45)の外周の一部に、作動歯部(47b)と周方向に隣接してラック歯部(46a)と噛合不能な異形部(49,49a,49b)が設けられ、
前記作動歯車(45)の異形部(49,49a,49b)がラック歯部(46a)に当接することで作動歯車(45)の回転およびラック(42)の移動が規制されて、前記可動部材(34)が位置決めされることを特徴とする。
【０００８】
請求項１に係る発明によれば、可動部材を往復移動するための作動歯車にストッパ機能を付帯させたので、専用のストッパー部材や作動機構等を設ける必要はなく、構成を簡単にして省スペース化を図り得ると共に、製造コストを低廉に抑えることができる。
【０００９】
請求項２に係る発明では、前記可動部材(34)は原位置と作動位置との間を往復動可能に構成され、該可動部材(34)が作動位置に至ったときに前記作動歯車(45)の異形部(49,49b)がラック歯部(46a)に当接するよう設定されたことを要旨とする。
請求項２に係る発明によれば、可動部材を作動位置に位置決めし得る。
【００１０】
請求項３に係る発明では、前記可動部材(34)の原位置において前記作動歯車(45)の異形部(49a)がラック歯部(46a)に当接し、該異形部(49a)がラック歯車(46a)から離間する方向に作動歯車(45)が回転することで可動部材(34)が作動位置に向けて移動するよう構成されたことを要旨とする。
請求項３に係る発明によれば、可動部材を原位置と作動位置とに位置決めし得る。
【発明の効果】
【００１１】
本発明に係る遊技機によれば、可動部材を簡単な構成で位置決めし得る。
【図面の簡単な説明】
【００１２】
【図１】本発明の好適な実施例に係るパチンコ機を示す正面図である。
【図２】実施例に係る遊技盤を示す正面図である。
【図３】実施例に係る設置部材を、各可動部材が原位置にある状態で示す正面図である。
【図４】実施例に係る設置部材を、各可動部材が作動位置にある状態で示す正面図である。
【図５】実施例に係る第１可動演出装置を第１可動部材が原位置にある状態で示す説明正面図であって、第１可動部材を想像線で示している。
【図６】実施例に係る第１可動演出装置の横断平面図である。
【図７】実施例に係る第１可動演出装置を前側から視た分解斜視図である。
【図８】実施例に係る第１可動演出装置を第１可動部材が原位置にある状態で示す説明背面図であって、ケース体を省略している。
【図９】実施例に係る第１可動演出装置を第１可動部材が作動位置にある状態で示す説明背面図であって、ケース体を省略している。
【図１０】実施例に係る駆動機構における作動歯車の異形部がラックのラック歯部に当接して位置規制している状態を示す要部拡大図である。
【図１１】実施例に係る駆動機構の別実施例を示す要部説明図であって、(ａ)は第１可動部材が原位置の状態を示し、(ｂ)は第１可動部材が作動位置の状態で示す。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組付けられて、該遊技盤１７の裏側に対して、各種図柄を変動表示可能な図柄表示装置１３が着脱し得るよう配設されている。また、中枠１２の前面側には、遊技盤１７を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前枠１４の下部位置に、パチンコ球を貯留する上球受け皿１６が一体的に組付けられており、前枠１４の開閉に合わせて上球受け皿１６も一体的に開閉するよう構成される。
【００１５】
(遊技盤について)
前記中枠１２に配設される前記遊技盤１７は、図２に示すように、前面(盤面)にパチンコ球が流下可能な遊技領域１７ａが画成され、合板等の木製からなる平板状の板部材で構成される。遊技盤１７の前面には、円弧状に形成した案内レール１８が配設されると共に、該案内レール１８の右方位置に、左端縁が右方に凹む円弧状に形成した盤面飾り部材１９が配設される。そして、案内レール１８および盤面飾り部材１９により遊技領域１７ａが略円形状に画成され、該遊技領域１７ａに、中枠１２に配設された図示しない打球発射装置から発射されたパチンコ球が遊技領域１７ａ内に打ち出され、該遊技領域１７ａ内をパチンコ球が流下して遊技が行なわれる。また、遊技盤１７の遊技領域１７ａ内には、多数の遊技釘が植設されており、該遊技釘との接触により遊技領域１７ａを流下するパチンコ球の流下方向が不規則に変化するよう構成してある。
【００１６】
前記遊技盤１７には、図１または図２に示す如く、後述する枠状装飾部材２３の下縁より下方位置に、前記遊技領域１７ａを流下するパチンコ球が入賞可能な始動入賞装置２０および特別入賞装置２１が配設される。始動入賞装置２０には、遊技領域１７ａを流下するパチンコ球が入賞可能な始動入賞口が設けられ、該始動入賞口へ入賞したパチンコ球が始動入賞センサ(図示せず)で検出されることで、図柄表示装置１３の表示部１３ａで図柄変動が開始されると共に、所定数(例えば５個)のパチンコ球が賞球として前記上下の球受け皿１５,１６に払い出される。特別入賞装置２１は、入賞口が開閉扉で常には閉鎖されており、図柄表示装置１３での図柄変動の結果、表示部１３ａに所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得るようになっている。なお、図２の符号２２は、遊技盤１７に配設されて、常に入賞口を開放している普通入賞装置を示す。
【００１７】
(枠状装飾部材について)
前記遊技盤１７の中央には、前後に貫通する大型の貫通孔が形成されており、該貫通孔に対して前後に開口する枠状の枠状装飾部材(所謂センター役物)２３が嵌め込まれるように着脱可能に配設される。そして、後述する設置部材２７の開口部２７ａから臨む前記図柄表示装置１３の表示部１３ａは、枠状装飾部材２３における前後に開口する窓口(可視部)２３ａを介して遊技盤１７の前側に露出して、該図柄表示装置１３の表示部１３ａで展開される図柄変動演出を前側から視認し得るようになっている。
【００１８】
前記枠状装飾部材２３には、上縁部から左右両縁部に亘り、遊技盤１７の前面より前方に突出する円弧状の庇状部２３ｂが設けられており、前記遊技領域１７ａに打ち出されたパチンコ球を外周部の庇状部２３ｂで案内し得ると共に、該パチンコ球が枠状装飾部材２３の窓口２３ａを横切って流下するのを該庇状部２３ｂで規制している。また枠状装飾部材２３には、窓口２３ａの下側に、ステージ２４が配設されると共に、窓口２３ａの左側に、遊技領域１７ａに開口して該遊技領域１７ａを流下するパチンコ球を取込んでステージ２４に案内する球導入部２５が設けられ、該球導入部２５からステージ２４に通出されたパチンコ球は、ステージ２４上を左右に転動した後に、前記各入賞装置２０,２１,２２が配設されている遊技領域１７ａに排出される。
【００１９】
前記ステージ２４の後端縁には、左右方向の全長に亘って上側に向けて所定高さで立上がる透明壁２６が設けられ、ステージ２４上を転動するパチンコ球が図柄表示装置１３の表示部１３ａ側に移動するのを該透明壁２６で防止している。なお、透明壁２６の上端縁には前方に向けて張出す張出部２６ａが形成されており、該張出部２６ａによって表示部１３ａ側へのパチンコ球の移動を確実に防止し得るようになっている。
【００２０】
(設置部材について)
前記遊技盤１７の裏面には、前記図柄表示装置１３が着脱可能に配設されると共に、後述する可動演出装置３０,３１,３２や複数の発光基板等の遊技部品が配設される合成樹脂材で形成された設置部材２７が配設され、該設置部材２７に形成された前後に開口する開口部２７ａを介して図柄表示装置１３の表示部１３ａを遊技盤１７の前側から視認し得るよう構成されている。実施例では、図３および図４に示す如く、設置部材２７の開口部２７ａは、上辺、下辺、左辺および右辺で画成される略４角形状に開口しており、図柄表示装置１３の表示部１３ａは開口部２７ａから視認可能な領域となることから、該開口部２７ａの縁部が表示部１３ａの外縁となっている。
【００２１】
前記設置部材２７は、図３および図４に示すように、前方に開口する矩形箱状に形成された箱状本体２８と、該箱状本体２８の開口前端部に形成されて当該箱状本体２８の開口外側へ延出し、前記遊技盤１７の裏面に当接する取付部２９とから構成される。箱状本体２８は、遊技盤１７に対向する矩形板状に形成されて前記開口部２７ａを形成した対向面部２８ａと、該対向面部２８ａにおける上下左右の各縁部から前方に延出する画壁部２８ｂとから前方に開口するよう形成されて、各画壁部２８ｂの前端部から箱状本体２８の開口外側へ向けて延出するよう前記取付部２９が形成される。そして、取付部２９の前面を遊技盤１７の裏面に当接した状態で、取付部２９を遊技盤１７にネジ止めすることによって遊技盤１７に設置部材２７が固定される。
【００２２】
前記遊技盤１７の裏側に設置部材２７を取付けた状態で、該設置部材２７の対向面部２８ａと遊技盤１７との間に所要の空間が画成される。設置部材２７の対向面部２８ａには、図３および図４に示す如く、下側の対向面部２８ａに第１可動演出装置(可動演出装置)３０が配設され、左側の対向面部２８ａに第２可動演出装置３１が配設され、右側の対向面部２８ａに第３可動演出装置３２が配設される。そして、これら３つの可動演出装置３０,３１,３２が、設置部材２７と遊技盤１７との間に画成される空間に夫々収容される。
【００２３】
(第１可動演出装置について)
前記第１可動演出装置３０は、図５〜図７に示す如く、該第１可動演出装置３０を構成する部材の設置基盤となるベース部材３３と、所定の演出動作を行なう第１可動部材(可動部材)３４と、この第１可動部材３４を往復動する駆動機構３５と、ベース部材３３の前側を覆うカバー部材３６とから基本的に構成される。ベース部材３３とカバー部材３６とから駆動機構３５の一部を収容するケース状の装置本体３７が構成され、第１可動演出装置３０は、装置本体３７単位で設置部材２７に対して着脱可能なユニット構造になっている。第１可動演出装置３０は、第１可動部材３４を、前記表示部１３ａにおける下辺の外側の原位置(図３,図８)と、表示部１３ａの前側に臨む作動位置(図４,図９)との間を、表示部１３ａの前面と平行な姿勢を保持して上下方向に往復動するよう構成される。
【００２４】
前記装置本体３７には、駆動機構３５を構成する複数の従動歯車４４(後述)を収容する収容室が内部画成されている。また、装置本体３７のカバー部材３６には、図６および図７に示す如く、前面の左右両側に、前面から後側へ所定高さだけ退避する支持段部３８が夫々形成され、各支持段部３８に、上下方向に延在するガイド部材３９が配設されている。そして、支持段部３８とガイド部材３９とによって、駆動機構３５を構成する後述するラック４２が上下方向に摺動可能に支持される。なお、各支持段部３８には、ラック４２に設けた突部４６ｂ(後述)を案内する長孔３８ａが上下方向に延在するよう形成してある。またカバー部材３６には、左右の支持段部３８,３８の間に、収容室に連通する貫通孔３６ａが左右方向に離間して形成されている。各貫通孔３６ａを画成する支持段部側の側壁は所定長さだけ切欠かれ、該切欠部を介して後述する作動歯車４５の一部が支持段部側に突出可能に構成されている(図５参照)。
【００２５】
(駆動機構について)
前記駆動機構３５は、図７〜図９に示す如く、モータ４０と、該モータ４０の回転を伝達する伝達部４１と、該伝達部４１に接続する一対のラック４２,４２とから基本的に構成される。実施例では、モータ４０として、制御装置の制御下に駆動または駆動停止されるステッピングモータが用いられる。伝達部４１は、モータ４０の出力軸に固定された駆動歯車４３と、該駆動歯車４３に一方が噛合する２つの従動歯車４４,４４と、各従動歯車４４,４４に噛合すると共に対応するラック４２,４２に噛合する作動歯車４５,４５とから構成される。
【００２６】
前記各ラック４２は、上下方向に延在する板状本体部４６における貫通孔３６ａ側を向く一側縁に、複数のラック歯部４６ａを上下方向(ラック移動方向)に並列に形成したものであって、板状本体部４６における他側縁側が、前記支持部段３８とガイド部材３９とに前後から挟まれた状態で移動可能に支持されている(図６参照)。また、板状本体部４６の後面下部に突設した突部４６ｂが、カバー部材３６に形成された前記長孔３８ａに摺動可能に挿通されており、該ラック４２は、突部４６ｂが長孔３８ａで案内されて上下方向に直線的に往復動し得るよう構成される。左右一対のラック４２,４２の前面に、前記第１可動部材３４がネジ止め固定されており、一対のラック４２,４２と一体で第１可動部材３４が上下方向に往復動するようになっている。なお、ラック４２の板状本体部４６における一側縁には、下部側の位置にラック歯部４６ａが所定長さだけ形成されていない凹部５１が形成されている。
【００２７】
前記モータ４０は、図５に示す如く、カバー部材３６の前面下部に取付けられ、該カバー部材３６に穿設した通孔を通して収容室内に突出するモータ４０の出力軸に前記駆動歯車４３が固定されている。装置本体３７には、収容室内において左右に並ぶと共に噛合した状態で２つの前記従動歯車４４,４４が回転可能に支持され、左側の従動歯車４４に駆動歯車４３が噛合している。装置本体３７には、左側の支持段部３８と左側の従動歯車４４の配設位置との間に、該左側の従動歯車４４と噛合する作動歯車４５が回転可能に枢支されると共に、右側の支持段部３８と右側の従動歯車４４の配設位置との間に、該右側の従動歯車４４と噛合する作動歯車４５が回転可能に支持される。そして、モータ４０により駆動歯車４３を回転することで、左右の作動歯車４５,４５は相互に反対方向に回転するよう構成される。なお、各作動歯車４５は、対応する貫通孔３６ａを介して前面側に露出している。
【００２８】
前記左右の作動歯車４５,４５の構成は同一であって、後述する異形部４９,４９の位置が左右対象となる状態で装置本体３７に配設される。各作動歯車４５は、図８および図９に示す如く、大径歯車４７と、該大径歯車４７より小径の小径歯車４８とを同軸上に一体形成した２段歯車であって、小径歯車４８を装置本体３７の収容室内に位置させると共に前記従動歯車４４と噛合している。大径歯車４７は、前記貫通孔３６ａの内部に位置する円盤状の本体４７ａの外周に複数の作動歯部４７ｂが形成されたものであって、該作動歯部４７ｂが、貫通孔３６ａを画成する側壁に形成された前記切欠部を介して支持段部３８側に突出している。そして、切欠部からの突出部分で作動歯部４７ｂが前記ラック４２のラック歯部４６ａと噛合し(図５参照)、両歯部４７ｂ,４６ａの噛合作用によって作動歯車４５の回転時にラック４２を直線的に移動するよう構成される。
【００２９】
前記大径歯車４７における本体４７ａの外周の１箇所には、作動歯部４７ｂと周方向に隣接してラック歯部４６ａと噛合不能な異形部４９が設けられている。この異形部４９は、作動歯部４７ｂの複数個分の凸部として形成されて、ラック４２のラック歯部４６ａに噛合することなく先端に当接することで、作動歯車４５の回転およびラック４２の移動を規制するべく機能する。実施例では、図９および図１０に示す如く、ラック４２と一体で移動する第１可動部材３４が作動位置に至ったときに、異形部４９がラック歯部４６ａの先端に当接するよう設定され、第１可動部材３４を作動位置に位置決めし得るよう構成される。なお、第１可動部材３４の作動位置において、異形部４９の一部がラック４２の前記凹部５１に位置するよう構成されており、装置本体３７に対する駆動機構３５の組付け時には、該異形部４９と凹部５１とにより作動歯車４５とラック４２とを適正な関係で組付け得るようになっている。
【００３０】
図５に示す如く、前記カバー部材３６における左側の支持段部３８の下端部に、ラック４２(第１可動部材３４)の位置を判定するフォトセンサ等からなる検知手段５０が配設され、該検知手段５０は、制御装置に電気的に接続されて検知信号が制御装置に入力されるよう構成される。検知手段５０は、該検知手段５０における対向する検知部間を通過するように配置されたラック４２の検知片４６ｃの有無によって、第１可動部材３４の位置を判定するようになっている。検知片４６ｃは、ラック４２の下端部に設けられ、第１可動部材３４の原位置において検知片４６ｃが検知手段５０の検知部間に位置するよう設定され(図５,図８参照)、検知手段５０による検知片４６ｃの検知によって原位置にある第１可動部材３４を確認し得るよう構成される。なお、制御装置は、原位置の第１可動部材３４を作動位置に向けて移動する際のモータ４０のステップ数を検出し、該ステップ数が予め設定された値になったときにモータ４０を停止制御するよう設定されており、実施例では該値が、前記異形部４９がラック歯部４６ａに当接するまで作動歯車４５を回転したときの値に設定される。
【００３１】
前記第１可動部材３４は、図６に示す如く、最前面に位置する装飾カバー体５２と、該装飾カバー体５２の裏側に配設された発光基板５３とを備え、該装飾カバー体５２には、パチンコ機１０のモチーフに合わせた文字や図形等の図柄５２ａが形成されている。また発光基板５３の前面には、発光体としての複数のＬＥＤ５３ａが、図柄５２ａに対応して配設され、該ＬＥＤ５３ａの発光により図柄５２ａが明輝されるよう構成される。
【００３２】
(第２および第３可動演出装置について)
前記設置部材２７の左側の対向面部２８ａに配設された前記第２可動演出装置３１は、第２可動部材５４を備える。第２可動演出装置３１は、第２可動部材５４を、前記表示部１３ａにおける上辺の外側に退避した原位置(図３参照)と、この原位置から下方変位して表示部１３ａの前側に臨む作動位置(図４参照)との間で、表示部１３ａの前面と平行な姿勢を保持して上下方向に往復動するよう構成される。
【００３３】
前記設置部材２７における右側の対向面部２８ａに設置された第３可動演出装置３２は、所定の演出動作を行なう複数(実施例では２つ)の第３可動部材５５,５５を備える。第３可動演出装置３２は、２つの第３可動部材５５が、前記図柄表示装置１３の表示部１３ａにおける右辺の前側に重なった位置において、上下方向に並んだ原位置で待機する(図３参照)。そして、原位置において下側に位置する第３可動部材５５については、原位置と、該原位置から右辺に沿って上方に変位した作動位置との間を表示部１３ａの前面に対して平行な姿勢を保ったまま往復動すると共に、原位置において上側に位置する第３可動部材５５については、原位置と、該原位置から表示部１３ａの中央側に向けた左斜め下方の表示部１３ａ前側に変位した作動位置との間を表示部１３ａの前面に対して平行な姿勢を保ったまま往復動するよう構成される。
【００３４】
前記第２可動部材５４および第３可動部材５５には、第１可動部材３４と同様に、パチンコ機のモチーフに合わせた文字や図形等の図柄５４ａ,５５ａが形成されており、該図柄５４ａ,５５ａは、第２および第３可動部材５４,５５に内蔵の発光基板(図示せず)のＬＥＤを発光することで明輝し得るよう構成される。
【００３５】
〔実施例の作用〕
次に、前述した実施例に係るパチンコ機の作用につき説明する。
【００３６】
前記遊技領域１７ａに打ち出されたパチンコ球は、前記枠状装飾部材２３の外周囲を流下し、該パチンコ球が前記球導入部２５に通入すると、該パチンコ球は前記ステージ２４に通出され、該ステージ２４を左右に転動した後に遊技領域１７ａに排出され、このパチンコ球は始動入賞装置２０や普通入賞装置２２等に入賞可能となる。そして、始動入賞装置２０にパチンコ球が入賞すると、前記図柄表示装置１３の図柄が変動開始され、所要の図柄組合わせゲームが展開される。図柄表示装置１３で展開される図柄変動ゲームの結果、図柄表示装置１３に所定の図柄組合わせで図柄が停止表示されたときに大当りが発生する。そして、大当りが発生すると、図柄表示装置１３に表示された図柄組み合わせに応じて、前記遊技盤１７の下方に設けられた特別入賞装置２１の入賞口が開放され、多数の賞球の獲得が可能となる。
【００３７】
前記図柄表示装置１３で展開される図柄変動ゲームの演出に応じて、前記可動演出装置３０,３１,３２が作動制御されて、各可動部材３４,５４,５５が作動されて動的な演出により遊技の興趣が高められる。また、各可動部材３４,５４,５５に配設されている発光基板５３のＬＥＤ５３ａが、図柄変動ゲームの演出に応じて発光制御されて、各可動部材３４,５４,５５に形成されている図柄５２ａ,５４ａ,５５ａが明輝する演出により遊技の興趣が向上される。
【００３８】
前記第１可動演出装置３０は、モータ４０の停止時(非通電時)に、前記ラック４２の検知片４６ｃが検知手段５０で検知されている原位置で停止している(図５,図８参照)。このとき、各ラック４２のラック歯部４６ａには対応する作動歯車４５の作動歯部４７ｂが噛合すると共に、異形部４９はラック４２から離間して位置している。この状態でモータ４０を正転方向に駆動すると、駆動歯車４３および従動歯車４４,４４を介して左右の作動歯車４５,４５が相互に反対方向に回転し、前記作動歯部４７ｂとラック歯部４６ａとの噛合作用によって一対にラック４２,４２は、各突部４６ｂが長孔３８ａで案内されて上方に向けて移動する。そして、図９および図１０に示す如く、前記第１可動部材３４が作動位置に至ったときに、該第１可動部材３４と一体で移動する各ラック４２の凹部５１に、対応する作動歯車４５の異形部４９が位置すると共に、該異形部４９がラック歯部４６ａの先端に当接し、作動歯車４５の回転およびラック４２の移動が規制される。このとき、モータ４０のパルス数を監視している制御装置により、該モータ４０が停止制御され、第１可動部材３４は作動位置に保持される。
【００３９】
前記モータ４０が逆転駆動されると、前記各作動歯車４５の異形部４９が対応するラック４２のラック歯部４６ａから離間する方向に回転し、作動歯部４７ｂとラック歯部４６ａとの噛合作用によってラック４２が下降する。これにより、前記第１可動部材３４もラック４２,４２と一体で下降し、前記検知手段５０が検知片４６ｃを検知したときに制御装置がモータ４０を停止制御して、第１可動部材３４は原位置で停止保持される。
【００４０】
実施例の各可動演出装置３０,３１,３２は、前記表示部１３ａの上辺、右辺および下辺側に位置して相互に離間している原位置の各可動部材３４,５４,５５を、図４に示す如く、表示部１３ａの中央に集合するように移動することで、遊技者に大きなインパクトを与えることができ、他の機種に対する差別化を図り得る。この場合において、表示部１３ａの中央において左右方向に並んでいる第２可動部材５４と第３可動部材５５,５５の下側に、第１可動部材３４が下辺から迫り出すように移動し、該第１可動部材３４が第２可動部材５４および第３可動部材５５,５５に近接した位置で停止することで、３種類の可動部材３４,５４,５５が集合して全体として意味のある図柄を形成し、より興趣のある演出が可能となっている。
【００４１】
この場合において、前記モータ４０のステップ数のみを検出して第１可動部材３４を作動位置に停止する構成では、検出エラー等に起因して第１可動部材３４を正しい作動位置で停止することができず、該第１可動部材３４が第２可動部材５４や第３可動部材５５に接触干渉するおそれがある。しかしながら、実施例では駆動機構３５の作動歯車４５に設けた異形部４９をラック歯部４６ａに当接するストップ機構を併用しているから、第１可動部材３４を正しい作動位置で確実に停止させることができる。しかも、ストップ機構は、第１可動部材３４を往復移動する駆動機構３５に設けているので、専用のストップ機構を必要とせず、構成を簡略化して省スペース化を図り得ると共に、製造コストを低廉に抑制し得る。
【００４２】
(別実施例)
図１１は、駆動機構３５の別実施例を示すものであって、基本的な構成は前述した駆動機構３５と同じであるので、異なる部分についてのみ説明し、同一部位には同じ符号を付すものとする。
【００４３】
前記作動歯車４５の大径歯車４７に、周方向に離間して２つの異形部４９ａ,４９ｂが形成されると共に、ラック４２の一側縁には、上下方向(ラック移動方向)に離間して２つの凹部５１ａ,５１ｂが形成されている。図１１(ａ)において右側に位置する第１異形部４９ａは、第１可動部材３４が原位置に位置したときにラック４２における上側に位置する第１凹部５１ａに一部が位置した状態でラック歯部４６ａの先端に当接し、第１可動部材３４を原位置に位置決めするべく機能する。また図１１(ａ)において左側に位置する第２異形部４９ｂは、図１１(ｂ)に示す如く、作動歯車４５の回転によって第１可動部材３４が作動位置に至ったときにラック４２における下側に位置する第２凹部５１ｂに一部が位置した状態でラック歯部４６ａの先端に当接し、第１可動部材３４を作動位置に位置決めするべく機能する。
【００４４】
このように、第１可動部材３４を往復移動する駆動機構３５の作動歯車４５に２つの異形部４９ａ,４９ｂを設けるだけの簡単な構成で、第１可動部材３４を原位置および作動位置に確実に位置決めすることができる。
【００４５】
(変更例)
本願は前述した実施例や別実施例の構成に限定されるものではなく、その他の構成を適宜に採用することができる。
(1) 実施例では、遊技盤を木製の板部材から構成したが、アクリル等の透明な材料で形成した透明板から構成したものであってもよい。
(2) 実施例では、第１可動部材を一対のラックに固定して移動するよう構成したが、１本のラックで第１可動部材を往復動する構成であってもよい。
(3) 実施例では、第１可動演出装置を表示部の下辺側に配設したが、上辺側あるいは左右の各辺側に配設したものであってもよく、その配設位置が限定されるものではない。
(4) 実施例では、第１可動演出装置の第１可動部材を作動位置に停止する際に、モータのステップ数に基づいてモータを停止制御するよう構成したが、前記異形部がラック歯部に当接することでモータに加わる負荷を検出する手段を設け、該検出手段の検出信号に基づいてモータを停止制御する構成を採用し得る。
(5) 別実施例では、作動歯車に設けた２つの異形部によって第１可動部材を原位置と作動位置とに位置決めするよう構成したが、１つの異形部によって可動部材を原位置と作動位置とに位置決めする構成を採用することができる。
(6) 遊技機としては、パチンコ機に限られるものではなく、アレンジボール機やパチンコ球を用いたスロットマシン等、その他各種の遊技機であってもよい。
【符号の説明】
【００４６】
３０  第１可動演出装置(可動演出装置)
３４  第１可動部材(可動部材)
４０  モータ
４２  ラック
４５  作動歯車
４６ａ  ラック歯部
４７ｂ  作動歯部
４９  異形部
４９ａ  第１異形部(異形部)
４９ｂ  第２異形部(異形部)
【図１】
0005422540.tif 000002
【図２】
0005422540.tif 000003
【図３】
0005422540.tif 000004
【図４】
0005422540.tif 000005
【図５】
0005422540.tif 000006
【図６】
0005422540.tif 000007
【図７】
0005422540.tif 000008
【図８】
0005422540.tif 000009
【図９】
0005422540.tif 000010
【図１０】
0005422540.tif 000011
【図１１】
0005422540.tif 000012